(57)【特許請求の範囲】
【請求項１】
カメラマンが自身の肩の上にカメラを支持するための支持装置であって、
前記カメラの下部に装着されるベースと、そのベースに基端部が枢支される一対のリンクと、これら一対のリンク相互の先端部を繋いで前記カメラマンの肩に載せるための肩当て部材と、その肩当て部材が前記カメラマンの肩で押される力に抗する方向に前記一対のリンクに力を付勢する第一付勢ばねとを備え、
前記ベースは、前記カメラに対してこれに装着されるレンズの中心軸に沿った方向である前後スライド方向への前記肩当て部材の相対移動を許容する前後スライド手段を有して構成され、
前記一対のリンクは、前記カメラに対してこれに装着されるレンズの中心軸とは直交方向に沿った方向である上下スライド方向への前記肩当て部材の相対移動を許容する上下スライド手段を有して構成され、
さらに、カメラマンの肩の上に支持されたときには、前記一対のリンク相互の下端部が、カメラマンの肩の側に引き寄せられた位置に移動し、カメラマンの肩の上に支持されていないときには、前記一対のリンク相互の下端部が、前記カメラの前後方向に広がって前記一対のリンクが脚となるように構成されていることを特徴とするカメラ用支持装置。
【請求項２】
前記前後スライド手段は、前記ベースが、前記カメラの下部に装着される固定ベースと、その固定ベースの前後に離間し且つ前記前後スライド方向に沿って取り付けられる前側スライドレールおよび後側スライドレールと、各スライドレールそれぞれにスライド移動可能に連結される前側スライダおよび後側スライダと、各スライダがそれぞれ取り付けられるとともに前記一対のリンクの基端部が枢支される移動ベースとを備えることで構成されていることを特徴とする請求項１に記載のカメラ用支持装置。
【請求項３】
前記上下スライド手段は、前記一対のリンクが、前記ベースに基端部が枢支された一対の第一リンクと、これら一対の第一リンク相互の先端部にそれぞれ枢支された一対の第二リンクとを備え、前記肩当て部材が前記一対の第二リンクの先端部相互を枢支連結しており、
更に、前記一対の第二リンクが、前記肩当て部材に枢支される円筒状のシリンダ部と、そのシリンダ部に内嵌するとともに前記第一リンクの先端部に枢支されるロッド部と、そのロッド部を前記上下スライド方向に沿って前記シリンダ部内で伸縮させる力を付勢する付勢手段とを備えることで構成されていることを特徴とする請求項１または２に記載のカメラ用支持装置。
【発明の詳細な説明】
【技術分野】
【０００１】
本発明は、カメラマンがカメラを支持するために用いるカメラ用支持装置に係り、特に、カメラマン自身の肩の上に放送用カメラを支持する際に、カメラマンの姿勢の揺れや振動を吸収するために好適なカメラ用支持装置に関する。
【背景技術】
【０００２】
この種のカメラ用支特設置として、例えば特許文献１に記載の技術が知られている。特許文献１に記載の技術では、カメラ用支持装置として、カメラ下部の凹み部に取り付ける肩当てが開示されている。この肩当ては、心材をクッション材で被覆して、カメラ下部の凹み部に収まる大きさに形成されており、カメラマンの肩に当たる部分には凹みを設けている。そして、そのクッション材の表面には、ゴムを被覆することでクッション性を確保するとともに、表面を滑り難くすることで、カメラマンが自身の肩の上に支持するカメラを安定させられるようになっている。また、この肩当ては、カメラ下部の凹み部に収まる大きさなので、撮影をしない時はそのまま平坦な場所に置くことができるようになっている。
【０００３】
また、他のカメラ用支持装置として、テレビカメラに用いられる振動吸収装置が知られている（例えば特許文献２参照）。特許文献２に記載の技術では、カメラ、モニター、およびそのカメラとモニターとを支持する機体から構成されるカメラユニットと、そのカメラユニットの重心位置より僅かに上で、機体の軸方向に対して直交かつ互いに垂直に設けられた二つの支軸に対して揺動可能であり、更に、機体の支軸に対して回転可能に取り付けられて、平行リンクおよびばねを組み合わせた複数のユニットからなるアームと、そのアームを鉛直軸に対して揺動可能に取り付けてカメラマンの体に固定するためのベストとを備えて構成される振動吸収装置が開示されている。
【特許文献１】特開平８−２７５０３７号公報
【特許文献２】米国特許第４０１７１６８号公報
【発明の開示】
【発明が解決しようとする課題】
【０００４】
しかしながら、例えば特許文献１に開示される肩当ては、テレビカメラ下部の凹み部に取り付けてカメラマンの肩で直に支持するので、例えばカメラマンが立った姿勢で撮影をする場合には、肩の前後方向の僅かな揺れが、そのままカメラで撮影した映像の上下方向の揺れになる。そのため、望遠で遠くの被写体を撮影するときに、映像が揺れないように撮影することは困難である。さらに、カメラマンが歩いて移動しながら撮影を行う場合には、芯材をクッション材で被覆してはいるものの、肩の上下の動きに対し肩当てのクッション部は、そのタワミ量が肩の上下動に対し比較的微小である。そのため、映像の揺れを抑えるための十分な効果は期待できない。
【０００５】
一方、特許文献２に開示されるような、リンクおよびばねを組み合わせて構成される振動吸収装置では、振動を吸収する効果は高いものの、装置全体の重量が大きいため、長時間の撮影や、報道の撮影のように機動性が求められる撮影現場では使用することが困難であり、なおかつ脱着に手間が掛かるという問題があった。
そこで、本発明は、このような問題点に着目してなされたものであって、比較的に軽量であり、カメラマンの肩の動きをカメラに直接伝えることを防止又は抑制し、さらに、カメラマンの姿勢が前後に揺れても、揺れの少ない映像を撮影可能であり、撮影終了時には速やかに平坦面上に置くことができるカメラ用支持装置を提供することを目的としている。
【課題を解決するための手段】
【０００６】
上記課題を解決するために、本発明のうち第一の発明は、カメラマンが自身の肩の上にカメラを支持するための支持装置であって、前記カメラの下部に装着されるベースと、そのベースに基端部が枢支される一対のリンクと、これら一対のリンク相互の先端部を繋いで前記カメラマンの肩に載せるための肩当て部材と、その肩当て部材が前記カメラマンの肩で押される力に抗する方向に前記一対のリンクに力を付勢する第一付勢ばねとを備え、前記ベースは、前記カメラに対してこれに装着されるレンズの中心軸に沿った方向である前後スライド方向への前記肩当て部材の相対移動を許容する前後スライド手段を有して構成され、前記一対のリンクは、前記カメラに対してこれに装着されるレンズの中心軸とは直交方向に沿った方向である上下スライド方向への前記肩当て部材の相対移動を許容する上下スライド手段を有して構成されていることを特徴としている。
【０００７】
第一の発明に係るカメラ用支持装置によれば、カメラの下部にベースが装着され、一対のリンクを介して肩当て部材が設けられているので、カメラマンの肩の動きをカメラに直接伝えることを防止又は抑制することができる。
そして、ベースは、カメラに対し肩当て部材の前後スライド方向への相対移動を許容する前後スライド手段を有するので、例えば、カメラマンが歩きながら撮影をする場合に、カメラマンの姿勢が前後に揺れても、その揺れに応じて肩当て部材を前後スライド方向に移動させることができる。さらに、一対のリンクは、カメラに対し肩当て部材の上下スライド方向への相対移動を許容する上下スライド手段を有するので、例えば、カメラマンが歩きながら撮影をする場合に、カメラマンの姿勢が上下に揺れても、その揺れに応じて肩当て部材を上下スライド方向に移動させることができる。そのため、カメラマンの肩の動きをカメラに直接伝えることを防止又は抑制する上でより好適であり、揺れの少ない映像を撮影することができる。
【０００８】
さらに、この第一の発明に係るカメラ用支持装置は、ベース、一対のリンク、肩当て部材および第一付勢ばねを備えることで構成することができるので、例えば上記特許文献２に記載の技術に比べて、その構成が簡素であり、装置の質量を比較的に小さくすることができる。そのため、持ち運びも容易である。また、第一付勢ばねは、肩当て部材がカメラマンの肩で押される力に抗する方向に一対のリンクに力を付勢するようになっているので、このカメラ用支持装置を装着したカメラをカメラマンの肩から外した際には、一対のリンクの下端部を前後方向に広げるようにすることができる。そのため、この広がった状態の一対のリンクを脚として、平坦な場所に置くことも可能となる。
【０００９】
ここで、第一の発明に係るカメラ用支持装置において、前記前後スライド手段は、前記ベースが、前記カメラの下部に装着される固定ベースと、その固定ベースの前後に離間し且つ前記前後スライド方向に沿って取り付けられる前側スライドレールおよび後側スライドレールと、各スライドレールそれぞれにスライド移動可能に連結される前側スライダおよび後側スライダと、各スライダがそれぞれ取り付けられるとともに前記一対のリンクの基端部が枢支される移動ベースとを備えることで構成されていることは好ましい。このような構成であれば、前後スライド手段を構成する上で好適である。
【００１０】
また、第一の発明に係るカメラ用支持装置において、前記上下スライド手段は、前記一対のリンクが、前記ベースに基端部が枢支された一対の第一リンクと、これら一対の第一リンク相互の先端部にそれぞれ枢支された一対の第二リンクとを備え、前記肩当て部材が前記一対の第二リンクの先端部相互を枢支連結しており、更に、前記一対の第二リンクが、前記肩当て部材に枢支される内部が円筒状のシリンダ部と、そのシリンダ部に内嵌するとともに前記第一リンクの先端部に枢支されるロッド部と、そのロッド部を前記上下スライド方向に沿って前記シリンダ部内で伸縮させる力を付勢する付勢手段とを備えることで構成されていることは好ましい。このような構成であれば、上下スライド手段を構成する上で好適である。
【発明の効果】
【００１１】
上述のように、本発明によれば、比較的に軽量であり、カメラマンの肩の上下動をカメラに直接伝えることを防止または抑制し、さらに、カメラマンの姿勢が前後に揺れても、揺れの少ない映像を撮影可能であり、撮影終了時には速やかに平坦面上に置くことができるカメラ用支持装置を提供することができる。
【発明を実施するための最良の形態】
【００１２】
以下、本発明に係るカメラ用支持装置の一実施形態について、図１〜図４を適宜参照しつつ説明する。なお、図１〜３は、本発明に係るカメラ用支持装置の一実施形態の説明図であり、図１は、カメラに装着した状態での前後方向に沿った断面図を示しており、同図に示すカメラ１にはレンズ２が装着されている。なおまた、同図の符号Ｇはレンズ２を含むカメラ１の重心位置である。また、図２は、図１のカメラ用支持装置をカメラマンの肩の上で支持した状態を示し、図３は、図１のカメラ用支持装置をカメラマンの肩の上で支持した状態でカメラを前方ヘスライドさせた状態を示している。また、図４は、要部拡大図であり、同図は、図２での左側のリンク１２Ａの部分を拡大して図示している。
【００１３】
図１に示すように、このカメラ用支持装置１０は、カメラ１に装着されるレンズ２の中心軸ＣＬに沿った方向である前後スライド方向に渡されたベース３Ａを備えて構成されている。
詳しくは、このベース３Ａは、カメラ２の下部に装着される固定ベース３を有している。この固定ベース３は、板部材を略ハット型に曲げ加工して形成されており、この固定ベース３上にカメラ１の下部が載置され、さらに、クランプ装置（不図示）によって着脱可能に装着されるようになっている。
この固定ベース３には、カメラ１の下部に装着される面とは反対側の面に、前後に離間し且つ上記前後スライド方向に沿って取り付けられる前側スライドレール４および後側スライドレール５が固定されている。つまり、各スライドレールのスライド軸方向は、カメラ１に装着されるレンズ２の中心軸ＣＬに対して平行に配置されている。
【００１４】
各スライドレール４，５それぞれには、各スライドレール４，５に対してスライド移動可能な前側スライダ６および後側スライダ７がそれぞれ対をなして摺動面を介して組み付けられている。さらに、各スライダ６，７それぞれに対して、板部材を略ハット型に曲げ加工して形成された移動ベース８が固定されており、これにより、前後スライド手段が構成される。つまり、これら前後のスライドレール４，５およびスライダ６，７で構成されるスライド部を介することで固定ベース３に対して移動ベース８がカメラ１に装着されるレンズ２の中心軸ＣＬに対して平行かつ滑らかに前後に摺動可能となっている。
【００１５】
そして、このカメラ用支持装置１０は、上記ベース３Ａの移動ベース８に対して、前後に一対のリンク１２Ａ，１３Ａの基端部が枢支されている。詳しくは、移動ベース８には、前側支軸９および後側支軸１１が、レンズ２の中心軸ＣＬ方向に対してそれぞれ垂直且つ水平に配置されている。そして、これら前側支軸９と後側支軸１１は、カメラマンの肩の前後に配置する上で必要な所定の間隔を隔てて、上記前後スライド方向での前後にそれぞれ設けられている。そして、移動ベース８には、これら前側支軸９と後側支軸１１を介して、一対のリンク１２Ａ，１３Ａを構成する、上記一対の第一リンクとしての前側第一リンク１２および後側第一リンク１３それぞれの基端部が、各軸まわりに揺動可能に枢支されている。
【００１６】
これら一対の前側第一リンク１２および後側第一リンク１３は、このカメラ用支持装置１０をカメラマンの肩の上で支持した状態でのカメラマンの肩の中心を通る垂直軸線ＫＣに対して左右対称に配置されている。また、これら一対の第一リンク１２、１３は左右対称形状であり、垂直軸線ＫＣ側を向く面が凹となる湾曲形状に形成されている。
さらに、前側支軸９および後側支軸１１には、カメラマンの肩からカメラ１を外した時に、カメラマンの肩の中心を通る垂直軸線ＫＣから離れる方向に、前側第一リンク１２および後側第一リンク１３の下端部を跳ね上げさせるためのねじりばね１４、１５がそれぞれ前側支軸９および後側支軸１１と同軸に設置されている。なお、このねじりばね１４、１５が、肩当て部材１８がカメラマンの肩で押される力に抗する方向に一対のリンク１２Ａ，１３Ａに力を付勢する上記第一付勢ばねに対応している。
【００１７】
また、これら一対の前側第一リンク１２および後側第一リンク１３の下端部には、一対のリンク１２Ａ，１３Ａを構成する、一対の前側第二リンク２２および後側第二リンク２３の基端部が、レンズ２の中心軸ＣＬ方向に対してそれぞれ垂直且つ水平な前側連結軸４１および後側連結軸４２を介してそれぞれ枢支されている。そして、これら一対の第二リンク２２，２３の各先端部は、肩当て部材１８に上記前後スライド方向での前後でそれぞれ枢支連結されている。この肩当て部材１８は、カメラマンの肩に倣うように上に凸の湾曲形状に形成された板部材であり、湾曲形状の凹面側がカメラマンの肩に対向する側になっており、この湾曲形状の凹面に、肩の上にカメラ１を載せる肩当てパット２１が装着されている。
【００１８】
ここで、一対の第二リンク２２，２３は、上記肩当て部材１８に、前側シリンダ支軸１６、後側シリンダ支軸１７を介して回動可能に連結される内部が円筒状のシリンダ部２２Ａ，２３Ａと、そのシリンダ部２２Ａ，２３Ａに内嵌するとともに第一リンク１２，１３の先端部に連結されるロッド部２２Ｂ，２３Ｂとを備えており、さらに、そのロッド部２２Ｂ，２３Ｂを、前記上下スライド方向に沿ってシリンダ部２２Ａ，２３Ａ内で伸縮させる力を付勢する付勢手段である、付勢ばね１９、２８および低弾性ゴム２０、２９が、内部が円筒状のシリンダ部２２Ａ，２３Ａに内蔵されて構成されている。
【００１９】
この付勢ばね１９、２８は円筒コイルばねであり、図４に拡大図示するように（同図では左側のリンク１２Ａのみ図示）、各ロッド部２２Ｂ，２３Ｂのシリンダ内の端部には、円環状に鍔部３２、３３が設けられ、また、各シリンダ部２２Ａ，２３Ａの前側および後側連結軸４１，４２側の端部には、ロッド部２２Ｂ，２３Ｂ側に凸の円環状の鍔部２２Ｓ、２３Ｓが設けられている。
【００２０】
そして、付勢ばね１９はこれら鍔部３２および鍔部２２Ｓ同士の間、付勢ばね２８は鍔部３３および鍔部２３Ｓ同士、の間に介装されることで、シリンダ内に各ロッド部２２Ｂ，２３Ｂを縮める方向に力を付勢するように設置されている。また、鍔部２２Ｓと付勢ばね１９との間、鍔部２３Ｓと付勢ばね２８との間には、低弾性ゴム２０、２９が介装されて付勢ばね１９、２８と直列に組み込まれており、これにより、この低弾性ゴム２０、２９は、付勢ばね１９、２８との協働によって、肩の上下方向の振動との共振を防ぎ、減衰させるようになっている。
【００２１】
これにより、上記上下スライド手段が構成されて、図１に示す状態からカメラマンが肩の上にカメラ１を載せる際には、この肩当てパット２１を介して肩当て部材１８が押圧されると、これに連動して前側第二リンク２２、後側第二リンク２３、前側第一リンク１２および後側第一リンク１３それぞれの基端部が各支軸まわりに回動し、肩当て部材１８を同図上方に移動させる。
【００２２】
このとき、一対のリンク１２Ａ，１３Ａを構成する第二リンク２２，２３には、第二リンク２２，２３のロッド部２２Ｂ，２３Ｂを伸縮させる力を付勢する付勢ばね１９、２８および低弾性ゴム２０、２９がそのシリンダ部２２，２３に内蔵されているので、カメラに装着されるレンズの中心軸ＣＬとは直交方向に沿った方向である上下スライド方向への前記肩当て部材１８の移動を許容しつつ、カメラマンの姿勢の揺れや振動を吸収することができるようになっている。また、このカメラ用支持装置１０は、肩の上での支持状態にあっては、付勢ばね１９、２８の力によってカメラ１およびレンズ２の荷重が相殺され、肩当て部材１８と固定ベース３との間に、上下方向に隙間Ｓ２が確保されるように構成されている。
【００２３】
ここで、図１ないし図４に示すように、移動ベース８の上記前後スライド方向での前後には、開き側ストッパ部２４および開き側ストッパ部２５が設けられており、また、肩当て部材１８についても、その前後スライド方向での前後には、開き側ストッパ部２６、開き側ストッパ部２７が開き側でのストッパ部として設けられている。
そして、カメラマンの肩からカメラ１を外した状態（図１）では、肩当て部材１８の自重によるモーメントおよびねじりばね１４、１５による付勢力が働き、前側第一リンク１２および前側第二リンク２２は、開き側ストッパ部２４、開き側ストッパ部２６に当接する位置まで前側支軸９を支点に前後方向外側に向けて回動して、開き側ストッパ部２４、開き側ストッパ部２６に当接した状態に保持され、また、後側第一リンク１３および後側第二リンク２３は、開き側ストッパ部２５、開き側ストッパ部２７に当接する位置まで後側支軸１１を支点に前後方向外側に向けて回動し、開き側ストッパ部２５、開き側ストッパ部２７に当接した状態に保持されるように、各開き側ストッパ部が配置されている。
【００２４】
これにより、図１に示すようにこの状態での肩当て部材１８と固定ベース３との間には、対向方向に広い隙間Ｓ１が確保されるようになっている。更に、一対のリンク１２Ａ，１３Ａは、第一リンク１２，１３と第二リンク２２，２３とを相互に枢支する前側および後側連結軸４１，４２が、カメラマンの肩の中心を通る垂直軸線ＫＣから離れる方向に、前後に広がった状態となり、一対のリンク１２Ａ，１３Ａの前側および後側連結軸４１，４２外側の端部を接地端とする脚として、平坦面ＧＬ上に、このカメラ用支持装置１０を取り付けたままの状態のカメラ１を置くことができるようになっている。
【００２５】
次に、このカメラ用支持装置１０をカメラマンの肩の上で支持した状態について説明する。なお、図２はカメラ用支持装置１０を装着したレンズ２付きのカメラ１をカメラマンの肩の上で支持した状態を示し、図３は、カメラ用支持装置１０を装着したレンズ２付きのカメラ１を、カメラマンの肩の上で支持した状態で、カメラ１を前方ヘスライドさせた状態を示す断面図である。
【００２６】
図２に示すように、このカメラ用支持装置１０には、肩の上での支持状態での閉じ側のストッパ部として、前側第一リンク１２および後側第一リンク１３には、各リンク１２，１３の基端部近傍に、閉じ側ストッパ部３０、閉じ側ストッパ部３１が設けられており、また、前側第二リンク２２および後側第二リンク２３には、閉じ側ストッパ部４３、閉じ側ストッパ部４４が設けられている。
【００２７】
詳しくは、カメラマンが自身の肩の上でこのカメラ用支持装置１０を装着したレンズ２付きのカメラ１を支持したときには、カメラ１およびレンズ２の荷重が肩当てパット２１に懸かる。ここで、このカメラ用支持装置１０は、同図に示す肩の上での支持状態にあっては、付勢ばね１９、２８の力によりカメラ１およびレンズ２の荷重が相殺され、肩当て部材１８と固定ベース３との間に、上下方向に隙間Ｓ２が確保されるように構成されている。
【００２８】
つまり、肩当て部材１８、前側シリンダ支軸１６、後側シリンダ支軸１７を介して伝わる荷重によって、付勢ばね１９、２８がたわみ、付勢ばね１９、２８によって付勢された力に抗して、重力に対してバランスする位置で隙間Ｓ２が確保されて止まるようになっている。
このとき、前側第一リンク１２は前側支軸９を軸として閉じ側ストッパ部３０に当接した状態になる位置まで揺動し、また、前側第二リンク２２は前側シリンダ支軸１６を軸として閉じ側ストッパ部４３に当接した状態になる位置まで揺動して止まり、同様に後側第一リンク１３は後側支軸１１を軸として閉じ側ストッパ部３１に当接した状態になる位置まで揺動し、また、後側第二リンク２３は後側シリンダ支軸１７を軸として閉じ側ストッパ部４４に当接した状態になる位置まで揺動して止まるように各閉じ側のストッパ部が配置されている。
【００２９】
これにより、同図に示すように、この状態での一対の第二リンク２２、２３は、レンズ２の中心軸ＣＬ方向に対してそれぞれ垂直かつ鉛直な状態となる。そして、この状態においては、各第二リンク２２、２３の前後方向への動きは各閉じ側ストッパ部によって規制されるため、前後スライド方向での振動は、前後スライド手段を構成する上記スライダ部にだけ働き、前後スライド方向での振動を効果的に吸収できるようになっているとともに、上下スライド方向での振動は、上下スライド手段を構成する一対の第二リンク２２、２３にだけ働き、上下スライド方向での振動を効果的に吸収できるようになっている。
【００３０】
次に、このカメラ用支持装置１０の作用および効果について説明する。
上述したように、このカメラ用支持装置１０によれば、カメラ１に装着した状態にあっては、肩当て部材１８と固定ベース３との間に隙間（Ｓ１〜Ｓ２）が常に確保されているので、カメラマンが歩きながら撮影する場合には、付勢ばね１９、２８の力によってカメラ１およびレンズ２の重量が相殺され、さらに、低弾性ゴム２０、２９によって付勢ばね１９、２８と肩の上下方向の振動との共振を防ぎ、減衰させることで、肩の上下方向の振動をカメラ１に伝えることを防止または抑制することができる。
【００３１】
すなわち、カメラマンが歩行しながら撮影を行う場合には、カメラマンの肩の位置は上下に移動することが考えられる。その際、カメラ１およびレンズ２の荷重が肩当てパット２１に懸かると、図２に示すように、この状態での一対の第二リンク２２、２３はレンズ２の中心軸ＣＬ方向に対してそれぞれ上下スライド方向に沿って立った状態となるので、付勢ばね１９、２８により付勢された力が、重力を相殺する位置で止まる。そして、カメラマンの肩が上下動する場合、カメラ１およびレンズ２は、慣性力によってその位置に留まろうとするため、肩当てパット２１に懸かる力は、カメラマンの肩が上方に上がる場合は増大し、カメラマンの肩が下方に下がる場合は減少する。
【００３２】
そして、肩が上方に上がり、肩当てパット２１に懸かる力が増大した場合には、前側および後側シリンダ支軸１６、１７に懸かる力が増大し、各付勢ばね１９、２８が圧縮される。このとき、カメラマンの肩と固定ベース３との対向距離は減少する。逆に、肩が下方に下がり、肩当てパット２１に懸かる力が減少した場合には、前側および後側シリンダ支軸１６、１７に懸かる力が減少し、各付勢ばね１９、２８の圧縮力が減少される。このとき、カメラマンの肩と固定ベース３との対向距離は増大する。
【００３３】
なお、付勢ばね１９、２８がたわむ際、それに対する反動は振動となるが、各付勢ばね１９、２８には、これに直列に低弾性ゴム２０、２９が配置されているので、この低弾性ゴム２０、２９によってこの際の振動を減衰させることができる。そのため、このカメラ用支持装置１０によれば、カメラマンの肩の上下動に対して、カメラ１およびレンズ２の上下動を一層効果的に緩和することができる。
【００３４】
さらに、このカメラ用支持装置１０によれば、固定ベース３に取り付けられる前後のスライドレール４、５と、移動ベース８に取り付けられる前後のスライダ６、７とによって、移動ベース８が固定ベース３に対し、カメラ１に装着されるレンズ２の中心軸ＣＬに対して平行に、滑らかに揺動可能となっているので、カメラマンの肩が前後に移動した場合の揺動をカメラ１およびレンズ２に伝えることをより効果的に防止または抑制することができる。
【００３５】
また、このカメラ用支持装置１０は、固定ベース３、前後のスライド部４、５、６、７、移動ベース８、一対の第一リンク１２、１３、一対の第二リンク２２、２３、肩当て部材１８および付勢ばね１９、２８から構成されており、例えば上記特許文献２に記載の技術に比べて、その構成が簡素であり、装置の質量を比較的に小さくすることができる。そのため、持ち運びも容易である。
【００３６】
また、このカメラ用支持装置１０を装着したカメラ１をカメラマンの肩から外した場合には、図１に示すように、肩当てパット２１には肩による押圧力が懸からないため、肩当て部材１８の自重によるモーメントおよびねじりばね１４、１５の付勢力が働き、前側第一リンク１２および前側第二リンク２２が前側支軸９を支点に回動し、開き側ストッパ部２４、開き側ストッパ部２６に当接した状態に保持され、また、同様に後側第一リンク１３および後側第二リンク２３は後側支軸１１を支点に回動し、開き側ストッパ部２５、開き側ストッパ部２７に当接した状態に保持され、一対のリンク１２Ａ，１３Ａは、下方が前後方向に広がった状態となり、これにより、一対のリンク１２Ａ，１３Ａを脚として、平坦な場所に置くことができる。
【００３７】
以上説明したように、このカメラ用支持装置１０によれば、構成が簡素なので、比較的に軽量であり、カメラマンの肩の動きをカメラ１に直接伝えることを防止又は抑制し、さらに、カメラマンの姿勢が前後に揺れても、揺れの少ない映像を撮影可能であり、撮影終了時には速やかに平坦面上に置くことができる。
なお、本発明に係るカメラ用支持装置は、上記実施形態に限定されるものではなく、本発明の趣旨を逸脱しなければ種々の変形が可能なことは勿論である。
【図面の簡単な説明】
【００３８】
【図１】本発明に係るカメラ用支持装置の一実施形態の説明図であり、同図は、カメラに装着した状態での断面図を示している。
【図２】本発明に係るカメラ用支持装置の一実施形態の説明図であり、同図は、図１のカメラ用支持装置をカメラマンの肩の上で支持した状態を示している。
【図３】本発明に係るカメラ用支持装置の一実施形態の説明図であり、同図は、図１のカメラ用支持装置をカメラマンの肩の上で支持した状態でカメラを前方ヘスライドさせた状態を示している。
【図４】本発明に係るカメラ用支持装置の一実施形態の要部拡大図であり、同図は、図２での左側のリンク１２Ａの部分を拡大して図示している。
【符号の説明】
【００３９】
１    カメラ
２    レンズ
３    固定ベース（ベース）
４    前側スライドレール
５    後側スライドレール
６    前側スライダ
７    後側スライダ
８    移動ベース（ベース）
９    前側支軸
１０    カメラ用支持装置
１１    後側支軸
１２    前側第一リンク（リンク）
１３    後側第一リンク（リンク）
１４    ねじりばね（第一付勢ばね）
１５    ねじりばね（第一付勢ばね）
１６    前側シリンダ支軸
１７    後側シリンダ支軸
１８    肩当て部材
１９    付勢ばね（付勢手段）
２０    低弾性ゴム（付勢手段）
２１    肩当てパット
２２    前側第二リンク（リンク）
２３    後側第二リンク（リンク）
２４、２５、２６、２７    開き側ストッパ部
２８    付勢ばね（付勢手段）
２９    低弾性ゴム（付勢手段）
３０、３１、４３、４４    閉じ側ストッパ部
３２、３３    鍔部
４１    前側連結軸
４２    後側連結軸
Ｇ    重心位置
ＣＬ    （レンズの）中心軸
ＧＬ    平坦面
ＫＣ    （カメラマンの肩の中心を通る）垂直軸線
Ｓ１    （肩当て部材と固定ベースとの）隙間
Ｓ２    （肩当て部材と固定ベースとの）隙間
【図１】
0004980830.tif 000002
【図２】
0004980830.tif 000003
【図３】
0004980830.tif 000004
【図４】
0004980830.tif 000005